(57)【要約】【課題】短時間で製作することができると共に、重厚さを備え、各故人に対応した家紋や社章などの紋様を付した人間用やペット用の棺を提供する。【解決手段】上端開口部を有する棺本体２と棺本体２の上端開口部を塞ぐ蓋体３とを備える葬儀に使用される棺１において、棺本体２および蓋体３の両方の外面あるいはいずれか一方の外面に取付けられ、家紋や社章などの所定の紋様Ｄを付したプレート板４を備える。また、プレート板４が取付けられる前記外面にダボ５を突設するとともに、プレート板４にダボ５が侵入する孔部６を形成し、ダボ５に孔部６を嵌合してプレート板４を前記外面に取付ける。【選択図】図１
2010240031.tif 000002
【特許請求の範囲】
【請求項１】
上端開口部を有する棺本体と前記棺本体の上端開口部を塞ぐ蓋体とを備える葬儀に使用される棺において、
前記棺本体および蓋体の両方の外面あるいはいずれか一方の外面に取付けられ、家紋や社章などの所定の紋様を付したプレート板を備えることを特徴とする紋様付き棺。
【請求項２】
前記プレート板が取付けられる前記棺本体および蓋体の両方の外面あるいはいずれか一方の外面にダボを突設するとともに、前記プレート板に前記ダボが侵入する孔部を形成し、前記ダボに前記孔部を嵌合して前記プレート板を前記外面に取付けたことを特徴とする請求項１に記載の紋様付き棺。
【請求項３】
前記プレート板にダボを突設するとともに、前記棺本体および蓋体の両方の外面あるいはいずれか一方の外面に前記ダボが侵入する孔部を形成し、前記ダボに前記孔部を嵌合して前記プレート板を前記外面に取付けたことを特徴とする請求項１に記載の紋様付き棺。
【請求項４】
前記プレート板が取付けられる前記棺本体および蓋体の両方の外面あるいはいずれか一方の外面に、前記プレート板が嵌入する凹部を形成し、前記プレート板を前記凹部に嵌入して前記外面に取付けたことを特徴とする請求項１に記載の紋様付き棺。
【請求項５】
前記ダボ及び前記プレート板が火葬時に燃焼するものであることを特徴とする請求項２又は３に記載の紋様付き棺。
【請求項６】
前記プレート板が火葬時に燃焼するものであることを特徴とする請求項４に記載の紋様付き棺。
【請求項７】
前記所定の紋様が、前記プレート板に立体的に形成されたものであることを特徴とする請求項１乃至６のうちいずれか一つに記載の紋様付き棺。
【請求項８】
前記プレート板は、前記外面から外側に突出した状態で取付けられたものであることを特徴とする請求項１乃至７のうちいずれか一つに記載の紋様付き棺。
【発明の詳細な説明】
【技術分野】
【０００１】
本発明は、人間用またはペット用に使用され、家紋や社章など各種の紋様を付した棺に関するものである。
【背景技術】
【０００２】
葬儀に使用される棺は、一般に、その故人を収納する棺本体と、その棺本体の上端開口部を塞ぐ蓋体とで構成される。こうした棺は、予め大量に生産されるものであり、各故人用に製造されるわけではない。従って、全ての故人が実質的に同じような棺に収納され、また、同じような葬儀を経て荼毘に付されている。
【０００３】
こうした実情に鑑み、近年では、故人との最後の別れにふさわしい荘厳で華やかな特徴ある葬儀とすべく、棺の表面に、各種の模様や文字等を印刷したシールを貼着する手段が開示されている（例えば、特許文献１参照）。
【先行技術文献】
【特許文献】
【０００４】
【特許文献１】特開２００５−１０２８００号公報
【発明の概要】
【発明が解決しようとする課題】
【０００５】
しかしながら、棺の表面に模様等を印刷したシールを貼着すると、表面的には華やかさを演出することができるものの重厚さに欠ける。
従って、荘厳さと豪華さを備えた葬儀を演出することはできない。
【０００６】
本発明者らは、故人を尊ぶために、棺に家紋や社章あるいは模様などの紋様を付して重厚さを現出することを創案したが、これら家紋等をシールに印刷し、そのシールを棺に貼着したのでは重厚さに欠け、葬儀に荘厳さや豪華さを持たせることはできない。
【０００７】
一方、棺の表面に家紋等を直接刻設することによって重厚さを与え、葬儀に荘厳さと豪華さを持たせることが考えられる。しかし、棺は大型であり、その取り扱いが厄介であるため、その表面に短時間で家紋等を刻設することは容易ではない。なお、近年ではペットも人間と同じように棺に納めて葬儀を行うことが多く、その場合も人間の場合と同様のことが言える。
【０００８】
そこで、本発明の目的とするところは、短時間で製作することができると共に、重厚さを備え、各故人やペットに対応した家紋や社章などの紋様を付した棺を提供することにある。
【課題を解決するための手段】
【０００９】
上記の目的を達成するために、本発明の請求項１に記載の紋様付き棺（１）は、上端開口部を有する棺本体（２）と前記棺本体（２）の上端開口部を塞ぐ蓋体（３）とを備える葬儀に使用される棺（１）において、
前記棺本体（２）および蓋体（３）の両方の外面あるいはいずれか一方の外面に取付けられ、家紋や社章などの所定の紋様（Ｄ）を付したプレート板（４）を備えることを特徴とする。
【００１０】
なお、上記「紋様」は、模様の他に画像を含む。従って、家紋や社章あるいは宗教等のシンボルマークの他に、例えば、ペットの写真を含む。
【００１１】
また、請求項２に記載の紋様付き棺（１）は、前記プレート板（４）が取付けられる前記棺本体（２）および蓋体（３）の両方の外面あるいはいずれか一方の外面にダボ（５）を突設するとともに、前記プレート板（４）に前記ダボ（５）が侵入する孔部（６）を形成し、前記ダボ（５）に前記孔部（６）を嵌合して前記プレート板（４）を前記外面に取付けたことを特徴とする。
【００１２】
また、請求項３に記載の紋様付き棺（１）は、前記プレート板（４）にダボ（５）を突設するとともに、前記棺本体（２）および蓋体（３）の両方の外面あるいはいずれか一方の外面に前記ダボ（５）が侵入する孔部（６）を形成し、前記ダボ（５）に前記孔部（６）を嵌合して前記プレート板（４）を前記外面に取付けたことを特徴とする。
【００１３】
また、請求項４に記載の紋様付き棺（１）は、前記プレート板（４）が取付けられる前記棺本体（２）および蓋体（３）の両方の外面あるいはいずれか一方の外面に、前記プレート板（４）が嵌入する凹部（７）を形成し、前記プレート板（４）を前記凹部（７）に嵌入して前記外面に取付けたことを特徴とする。
【００１４】
また、請求項５に記載の紋様付き棺（１）は、請求項２又は３に係る発明において、前記ダボ（５）及び前記プレート板（４）が火葬時に燃焼するものであることを特徴とする。
【００１５】
また、請求項６に記載の紋様付き棺（１）は、請求項４に係る発明において、前記プレート板（４）が火葬時に燃焼するものであることを特徴とする。
【００１６】
また、請求項７に記載の紋様付き棺（１）は、前記所定の紋様が、前記プレート板（４）に立体的に形成されたものであることを特徴とする。
【００１７】
また、請求項８に記載の紋様付き棺（１）は、前記プレート板（４）は、前記外面から外側に突出した状態で取付けられたものであることを特徴とする。
【００１８】
括弧内の記号は図面および後述する発明を実施するための形態に記載された対応要素または対応事項を示す。
【発明の効果】
【００１９】
本発明の請求項１に記載の紋様付き棺によれば、棺本体及び蓋体の外面に、あるいは棺本体及び蓋体のうちいずれか一方の外面に、家紋や社章などの所定の紋様を付したプレート板を取付けたので、棺に重厚さを持たせることができる。
すなわち、プレート板は従来のシールとは異なり、所定の厚みを有するので立体的で重厚感に富む。この重厚感に富むプレート板を取付けた棺によって、葬儀を荘厳さと豪華さを備えたものとすることができる。
【００２０】
また、請求項２及び請求項３に記載の紋様付き棺によれば、請求項１に記載の発明の作用効果に加えて、プレート板を、それに形成した孔部を棺本体や蓋体の外面に突設したダボに嵌合するか、あるいは、プレート板を、それに突設したダボを棺本体や蓋体の外面に形成した孔部に嵌合することによって取付けるので、自在に着脱することができる。
従って、あらゆる家紋を付した多数のプレート板をあらかじめ製作しておき、その中から、故人に対応する家紋を付したプレート板を選択して、蓋体等の外面に容易に取付けることができる。また、例えば、家紋を付したプレート板を、社章を付したプレート板に容易に取り替えることができる。さらに、ダボと孔部によってプレート板の位置を正確に決定することができるので、紋様を正しい方向に配置することができる。
【００２１】
また、請求項４に記載の紋様付き棺によれば、請求項１に記載の発明の作用効果に加えて、プレート板を、棺本体や蓋体に形成した凹部に嵌入して取付けるので、請求項２及び３に記載の発明と同様に、プレート板を選択して自在に着脱することができる。また、例えば、プレート板と蓋体の上面を面一に設定して、両者の一体感を現出することができる。
【００２２】
また、請求項５及び請求項６に記載の紋様付き棺によれば、プレート板またはダボを木製など火葬時に燃焼するものとしたので、荼毘に付した際に、棺本体および蓋体と共に完全に燃焼させることができる。
【００２３】
また、請求項７に記載の紋様付き棺によれば、所定の紋様をプレート板に立体的に形成したので、立体物であるプレート板による重厚感に加えて、立体的な紋様によって、棺に、さらなる重厚感を与えることができる。
【００２４】
また、請求項８に記載の紋様付き棺によれば、前記プレート板を、前記外面から外側に突出した状態で取付けたので重厚感に富む。
【図面の簡単な説明】
【００２５】
【図１】本発明の第一実施形態に係る紋様付き棺を示す斜視図である。
【図２】図１に示す棺の要部を示すもので、（ａ）は断面図であり、（ｂ）は平面図である。
【図３】本発明の第二実施形態に係る紋様付き棺を示すもので、（ａ）はその要部断面図であり、（ｂ）は要部平面図である。
【図４】本発明の第三実施形態に係る紋様付き棺を示すもので、（ａ）はその要部断面図であり、（ｂ）は要部平面図である。
【図５】図４に示す棺の他の態様を示す要部断面図である。
【図６】図４に示す棺のさらに他の態様を示す要部断面図である。
【図７】本発明の第四実施形態に係る紋様付き棺を示す要部断面図である。
【発明を実施するための形態】
【００２６】
（第一実施形態）
図１および図２を参照して、本発明の第一実施形態に係る紋様付き棺１について説明する。図１は紋様付き棺１を示す斜視図である。また図２（ａ）はその要部を示す縦断面図であり、図２（ｂ）はその要部を示す平面図である。
【００２７】
本発明の第一実施形態に係る紋様付き棺１は、故人を納めて葬儀に使用されるものであり、上端開口部を有する木製の棺本体２と、その上端開口部を塞ぐ同じく木製の蓋体３を備える。
【００２８】
そして、蓋体３の上面には、故人の家紋を立体的に刻設した木製で円板状のプレート板４が取付けられている。家紋の刻設については、手彫りよる一品物でも、ＮＣ（数値制御）工作機械などを使用して機械的に同一品を大量に製作したものであってもよい。機械的なものとしては、放電加工，レーザー加工など様々の加工方法がある。
なお、蓋体３には故人の顔を見ることができる開閉自在の窓部１０が設けられている。
【００２９】
また、蓋体３の上面に木製のダボ５を複数（ここでは２つ）突設すると共に、プレート板４にダボ５が侵入する孔部６を形成している。そして、プレート板４を、その孔部６にダボ５を嵌合した状態で蓋体３に取付けている。孔部６はプレート板４を貫通しないようにして形成されるが、プレート板４を貫通させた孔部にダボ５を嵌合させて取付けることも可能である。その場合、プレート板４の表面に露出したダボ５の頭をシールなどで覆い隠すことが望ましく外観上の見栄えもよい。
【００３０】
このように、本実施形態に係る紋様付き棺１は、蓋体３の外面に、家紋である紋様Ｄを付した厚みＴを有するプレート板４を取付けているので、棺１に重厚さを持たせることができる。
また、プレート板４に家紋（紋様Ｄ）を立体的に刻設しているので、これによっても棺１に重厚感を持たせることができる。これらによって、故人の葬儀を、荘厳で豪華なものに演出することができる。
【００３１】
また、この紋様付き棺１は、プレート板４を、それに形成した孔部６を蓋体３の外面に突設したダボ５に嵌合することによって取付けるので、あらかじめ製作しておいた複数の内から一つを選択して取付けることができる。従って、故人に対応した棺１を短時間で製作することができる。
【００３２】
また、プレート板４の取付けは、ダボ５と孔部６により構成されるので、プレート板４を容易に着脱することができる。従って、例えば、社章を付したプレート板４を、宗教のシンボルマークを付したプレート板４に、あるいは家紋を付したプレート板４に容易に交換することができる。
【００３３】
さらに、ダボ５と孔部６によってプレート板４の位置合わせを正確に行うことができるので、家紋（紋様Ｄ）を蓋体３に対して正確な方向に配置することができる。なお、ダボ５と孔部６の数は限定されないが、プレート板４の向きをより正確に位置合わせするためには、複数設けることが好ましい。
【００３４】
また、この紋様付き棺１は、棺本体２および蓋体３と同様に、プレート板４とダボ５を木製としているので、荼毘に付した際に完全に燃焼させることができる。従って、残留物を減少させることができる。なお、プレート板４とダボ５は木製に限定されるものではなく、他の材料（例えば、可燃性樹脂）で形成することも可能である。
【００３５】
また、本実施形態における孔部６は、プレート板４を貫通しない深さに設定している。これにより、プレート板４の上面に刻設した家紋が孔部６の輪郭の影響を受けないので、より正確な紋様Ｄを形成することができる。
【００３６】
（第二実施形態）
次に図３を参照して、本発明の第二実施形態に係る紋様付き棺１について説明する。図３（ａ）は、紋様付き棺１を示す要部縦断面図であり、図３（ｂ）はその平面図である。
【００３７】
この紋様付き棺１は、蓋体３に設けられたダボ５を、プレート板４の孔部６を貫通させた状態で形成すると共に、平面矩形状のプレート板４の上面に、十字架（紋様Ｄ）を印刷したシート８を貼り付けたことを特徴としている。
これによれば、紋様Ｄを印刷したシート８を使用しているので、刻設する場合と比較して製作が容易であるといった利点がある。また、このシート８によってプレート板４の上面に露出する孔部６を塞ぐので、外観性の向上を図ることができる。なお、プレート板４は厚みＴを有するので、蓋体３との間で立体感を現出することができ、棺１に重厚感を与えることができる。
【００３８】
（第三実施形態）
次に図４を参照して、本発明の第三実施形態に係る紋様付き棺１について説明する。図４（ａ）は、紋様付き棺１を示す要部縦断面図であり、図４（ｂ）はその平面図である。
【００３９】
この紋様付き棺１は、蓋体３の上面に、プレート板４が嵌入する凹部７を蓋体３を貫通しない範囲で形成し、プレート板４を凹部７に嵌入して蓋体３に取付けたものである。凹部７の外径および深さは、プレート板４のそれらとほぼ等しく設定し、プレート板４と蓋体３の上面を面一に設定している。
これにより、プレート板４と蓋体３との間に一体感を与えることができる。なお、プレート板４に紋様Ｄを刻設することによって立体感を現出することができる。また、プレート板４を凹部７に嵌入して取付けるので、上記実施形態と同様に、プレート板４を自在に着脱することができるといった利点がある。
【００４０】
なお、例えば、図５に示すように、凹部７の外径をプレート板４のそれより大きく設定し、プレート板４と蓋体３との間に隙間Ｇを形成することもできる。そうすることによって、プレート板４と蓋体３との間に大きな凹凸を形成することができるので、立体感をさらに現出することができる。
なお、この場合、凹部７の底面からダボ５を突設すると共に、プレート板４に貫通しない孔部６を形成し、両者を嵌合させて位置合わせすることによって、プレート板４と蓋体３との間に均等な幅の隙間Ｇを形成することができる。
【００４１】
さらに、図６に示すように、凹部７の深さを小さくして、プレート板４の上部を蓋体３の上面から突出させることもできる。
こうすることによっても、プレート板４と蓋体３との間に段差を形成することができるので、立体感を現出することができる。なお、この場合にも、ダボ５と孔部６を設けてプレート板４の正確な位置決めを行っても良い。
【００４２】
（第四実施形態）
次に図７を参照して本発明の第四実施形態に係る紋様付き棺１について説明する。図７は紋様付き棺１の要部縦断面図である。
この紋様付き棺１の特徴は、プレート板４を蓋体３の上面に、両面接着テープ９によって取付けたことである。両面接着テープ９を使用することでダボ５や孔部６の成形が不要となるので、製作コストを低減することができるといった利点がある。なお、両面接着テープ９に代えて接着剤を使用することもできる。
【００４３】
なお、上記第一乃至第四実施形態では、プレート板４を蓋体３の上面に取付けているが、図１に想像線で示すように、プレート板４を蓋体３の上面に取付けることに加えて棺本体２の外面に取付けることもできるし、棺本体２の外面にだけに取付けることもできる。
棺本体２の外面にプレート板４を取付ける場合、例えば、ダボ５および孔部６を斜め上方に向けて形成し、あるいは凹部７を同様に斜め上方に向けて形成し、プレート板４が落下しないような構成とすることが望ましい。
【００４４】
また、上記第一乃至第三実施形態（第三実施形態では図５の場合）では、プレート板４を、それに形成した孔部６を蓋体３の上面に突設したダボ５に嵌合するようにしたが、逆に、プレート板４の下面からダボ５を突設させ、突設したダボ５を蓋体３の上面に形成した孔部６に嵌合することによって両者を取付けるようにしてもよい。
【００４５】
また、上記実施形態では、人間用の棺を例示したが、本発明はペット用の棺も含む。その場合、棺本体１および蓋体３の大きさや形状は、ペットに対応したものとする。
また、紋様として家紋や十字架を例示したが、これに限らず、社章，校章など各種の紋様が考えられる。また、プレート板４の上面に、人間やペットや、お気に入りの写真，画像などで構成されたシート８を取付けることもできる。
【符号の説明】
【００４６】
１        紋様付き棺
２        棺本体
３        蓋体
４        プレート板
５        ダボ
６        孔部
７        凹部
８        シート
９        両面接着テープ
１０        窓部
Ｄ        紋様
Ｇ        隙間
【図１】
2010240031.tif 000003
【図２】
2010240031.tif 000004
【図３】
2010240031.tif 000005
【図４】
2010240031.tif 000006
【図５】
2010240031.tif 000007
【図６】
2010240031.tif 000008
【図７】
2010240031.tif 000009